(57)【特許請求の範囲】
【請求項１】
帯状シートを回転駆動される巻芯で巻き取る巻芯支持機構と、
前記巻芯の周りに巻取られた帯状シートにより形成された巻取ロールの外周に接触しながら回転するタッチローラとを備えたシート巻取装置であって、
前記タッチローラと当接離隔自在に配設されたシート押さえ板を備えるとともに、該シート押さえ板によって前記タッチローラと前記巻取ロールとの接点より僅かに上流寄りのタッチローラ外周面に帯状シートを押付けて仮保持することができるシート仮保持機構と、
前記シート押さえ板の前縁部でタッチローラ上に保持した帯状シートを、前記タッチローラ外周面の巻取ロールとの接点より僅かに下流側で幅方向に切断する切断機構とを備えたことを特徴とするシート巻取装置。
【請求項２】
広幅の帯状シートを複数条の狭幅の帯状シートに分割するスリッターと、
該スリッターにより分割された狭幅の帯状シートを回転駆動される巻芯で巻き取る巻芯支持機構と、
前記巻芯の周りに巻取られた帯状シートにより形成された巻取ロールの外周に接触しながら回転するタッチローラとを備えたシート巻取装置であって、
前記巻芯支持機構を複数を配設するとともに、
前記タッチローラと当接離隔自在に配設されたシート押さえ板を備えるとともに、前記タッチローラと前記巻取ロールとの接点より僅かに上流寄りのタッチローラ外周面に帯状シートを押付けて仮保持することができる前記各巻芯支持機構に夫々対応するべく配設された複数のシート仮保持機構と、
前記シート押さえ板の前縁部でタッチローラ上に保持した帯状シートを、前記タッチローラ外周面の巻取ロールとの接点より僅かに下流側で幅方向に切断するとともに、前記各巻芯支持機構に夫々対応するように配設された複数の切断機構とを備えたことを特徴とするシート巻取装置。
【請求項３】
前記タッチローラは、前記巻取ロール周面へ所定の押圧力で押し付け可能に支持するタッチローラ支持機構により保持されると共に、
前記タッチローラ支持機構は、前記タッチローラを巻芯へ押付け可能に前記タッチローラの両端部を支持する一対の可動支持腕と、この可動支持腕を支持する帯状シート幅方向に伸びた案内支持梁沿いに位置替え可能に設けた基台と、前記基台と可動支持腕の間に設けた、前記タッチローラに所要の押付け力を付与する押付け力付与機構を有することを特徴とする請求項２に記載のシート巻取装置。
【請求項４】
前記シート仮保持機構は、
前記シート押さえ板を保持すると共に、前記広幅の帯状シートの全幅に亘って延設された保持バーと、
前記保持バーの両端近傍を支持する可動支持体と、
前記シート押さえ板の前縁部が前記タッチローラと巻取ロールの接触点より僅かに上流のタッチローラ外周面を押圧するべく前記可動支持体を移動させる進退駆動機構とを備えたことを特徴とする請求項１から３のいずれか１に記載のシート巻取装置。
【請求項５】
前記切断機構は、前記保持バーに取り付けられたことを特徴とする請求項４に記載のシート巻取装置。
【請求項６】
前記シート仮保持機構は、シート押さえ板を駆動する直動型アクチュエータを前記タッチローラの両端を支持する可動支持腕を支える基台に備え、前記直動型アクチュエータによって前記シート押さえ板を前記タッチローラ外周面に帯状シートを押付けて仮保持することを特徴とする請求項３に記載のシート巻取装置。
【請求項７】
前記シート押さえ板は、前記保持バーの長手方向に並んだ複数の薄板部材から構成されたことを特徴とする請求項１に記載のシート巻取装置。
【請求項８】
前記シート押さえ板は、複数のスリットを有することを特徴とする請求項２から５のいずれか１に記載のシート巻取装置。
【請求項９】
前記シート仮保持機構は、
シート押さえ板を保持する旋回腕と、
前記旋回腕を回動させて前記シート押さえ板の前縁部が前記タッチローラと巻取ロールとの接触点より僅かに上流を押圧可能に駆動する回転駆動機構とを備えたことを特徴とする請求項１または２に記載のシート巻取装置。
【発明の詳細な説明】
【０００１】
【発明が属する技術分野】
本発明は、巻芯支持機構に装着されて回転駆動される巻芯へ帯状シートを導くと共に、巻芯のまわりに巻取られた帯状シートにより形成された巻取ロール外周に接触するタッチローラを備えたシート巻取装置に関する。
【０００２】
【従来の技術】
従来のシート巻取装置は、巻取開始時に巻芯支持機構に支持された巻芯とタッチローラとにより該タッチローラ上の帯状シートを挟圧することができ、帯状シートの巻取中には、巻芯とタッチローラとの間隔が巻取ロールの半径の増大に応じて次第に大きくなるように構成されており、巻取ロールが巻上がると巻取ロールとタッチローラとの間隔を開けることができる。
この種のシート巻取装置では、巻取ロールが巻上がると巻取り動作を停止し、その巻取ロールとタッチローラとの間隔を開け、巻取ロールに繋がっている帯状シートをタッチローラの下流で切断し、巻芯支持機構から巻取ロールを取外して代わりに新しい巻芯を装着し、新しい巻芯とタッチローラとを帯状シートを挟んで接触させ、帯状シートの先端部を新しい巻芯に接着した後、巻取りを再開する。
【０００３】
また、特公平７−８０５９７号公報に開示されたシート巻取装置では、巻上がった巻取ロールに繋がっている帯状シートを切断すると共に、その切断後にタッチローラ側に残る帯状シートの先端が上流側の張力等により上流側へ引戻されてタッチローラ上から抜け落ちてしまわないように保持するために、タッチローラと巻取ロールとの接触点から法線方向に所定の距離を隔てると共に僅かに巻取ロール寄りに、シート幅方向に伸びた保持梁を固設し、この保持梁の帯状シートを挟んで反対側に、待機位置から移動して帯状シートを保持梁に寄せ掛けて押し付けることができる、シート幅方向に伸びた寄せ掛け梁を設け、帯状シートを保持梁の下流で幅方向に切断するための刃物を保持梁沿いに走行可能に設けられている。このシート巻取装置では保持梁の、寄せ掛け梁による帯状シート押付け面に両面粘着テープを予め貼付しておき、巻取ロールに繋がっている帯状シートを切断するとき、帯状シートを寄せ掛け梁により保持梁に押し付け、その状態で刃物を走行させる。したがって、帯状シート切断後、上流側の帯状シート先端部は保持梁に粘着した状態で保持されている。
【０００４】
【発明が解決しようとする課題】
ところが、上述のようなシート巻取装置では、保持梁は巻取り操作の障害にならないようにタッチローラ及び巻取ロールから充分に離れた位置に設ける必要があるため、タッチローラと巻取ロールとの接触点から保持梁までの距離は大きくなる。そして帯状シートは、保持梁に沿って切断されるので、タッチローラから帯状シート切断位置までの長さが長くなりすぎる。それゆえ、巻取りを再開するために、巻芯をタッチローラとを接触させて帯状シート先端を巻芯に止めるとき、作業者は、上流側の帯状シートの余分になった先端部を切除するか、或いは、帯状シートの先端部を巻芯に接着した後、巻芯をタッチローラから少し浮かせて回転させることにより、帯状シートの先端の余分な部分を巻芯に巻付けなければならない。そして、この作業は手間がかかり、シート巻取装置の稼動率を低下させると云う欠点が存在した。
【０００５】
また、特公昭６３−２６０５３号公報に記載された分割巻取シート後尾の処理装置のように、タッチローラ自体に負圧吸引機構を備えたものも提案されている。ここでは、切断装置で帯状シートを幅方向に切断した際に、上流側の帯状シートをタッチローラに吸引機構で吸引保持することにより、帯状シートの後端処理を効率的に行おうとするものである。
しかし、タッチローラに負圧吸引機能をもたせるためには、タッチローラを中空構造とし、その外周面に多数の吸引孔を設ける必要があり、その吸引孔が高速で走行中のプラスチックフィルム等の帯状シートに傷や局部的歪みを生じる原因となる。
【０００６】
本発明は上述のような問題点に鑑み、巻上がった巻取ロールに繋がっている帯状シートを切断したとき、上流側の帯状シートの先端部が、新しい巻芯への接着に適した位置に保持されるようにすることにより、巻取ロールが巻上がってから次の巻取り動作を再開するまでの時間を短縮し、もって稼動効率の高いシート巻取装置を提供することを目的とする。
【０００７】
【課題を解決するための手段】
上記目的を達成するために、請求項１に記載の発明は、帯状シートを回転駆動される巻芯で巻き取る巻芯支持機構と、前記巻芯の周りに巻取られた帯状シートにより形成された巻取ロールの外周に接触しながら回転するタッチローラとを備えたシート巻取装置であって、前記タッチローラと当接離隔自在に配設されたシート押さえ板を備えるとともに、該シート押さえ板によって前記タッチローラと前記巻取ロールとの接点より僅かに上流寄りのタッチローラ外周面に帯状シートを押付けて仮保持することができるシート仮保持機構と、前記シート押さえ板の前縁部でタッチローラ上に保持した帯状シートを、前記タッチローラ外周面の巻取ロールとの接点より僅かに下流側で幅方向に切断する切断機構とを備えたことを特徴としている。
【０００８】
また、請求項２に記載の発明において、広幅の帯状シートを複数条の狭幅の帯状シートに分割するスリッターと、該スリッターにより分割された狭幅の帯状シートを回転駆動される巻芯で巻き取る巻芯支持機構と、前記巻芯の周りに巻取られた帯状シートにより形成された巻取ロールの外周に接触しながら回転するタッチローラとを備えたシート巻取装置であって、前記巻芯支持機構を複数を配設するとともに、前記タッチローラと当接離隔自在に配設されたシート押さえ板を備えるとともに、前記タッチローラと前記巻取ロールとの接点より僅かに上流寄りのタッチローラ外周面に帯状シートを押付けて仮保持することができる前記各巻芯支持機構に夫々対応するべく配設された複数のシート仮保持機構と、前記シート押さえ板の前縁部でタッチローラ上に保持した帯状シートを、前記タッチローラ外周面の巻取ロールとの接点より僅かに下流側で幅方向に切断するとともに、前記各巻芯支持機構に夫々対応するように配設された複数の切断機構とを備えたことを特徴とする。
【０００９】
また、請求項３に記載の発明において、前記タッチローラは、前記巻取ロール周面へ所定の押圧力で押し付け可能に支持するタッチローラ支持機構により保持されると共に、前記タッチローラ支持機構は、前記タッチローラを巻芯へ押付け可能に前記タッチローラの両端部を支持する一対の可動支持腕と、この可動支持腕を支持する帯状シート幅方向に伸びた案内支持梁沿いに位置替え可能に設けた基台と、前記基台と可動支持腕の間に設けた、前記タッチローラに所要の押付け力を付与する押付け力付与機構を有することを特徴とする。
【００１０】
また、請求項４に記載の発明において、前記シート仮保持機構は、前記シート押さえ板を保持すると共に、前記広幅の帯状シートの全幅に亘って延設された保持バーと、前記保持バーの両端近傍を支持する可動支持体と、前記シート押さえ板の前縁部が前記タッチローラと巻取ロールの接触点より僅かに上流のタッチローラ外周面を押圧するべく前記可動支持体を移動させる進退駆動機構とを備えたことを特徴とする。
【００１１】
また、請求項５に記載の発明において、前記切断機構は、前記保持バーに取り付けられたことを特徴とする。
【００１２】
また、請求項６に記載の発明において、前記シート仮保持機構は、シート押さえ板を駆動する直動型アクチュエータを前記タッチローラの両端を支持する可動支持腕を支える基台に備え、前記直動型アクチュエータによって前記シート押さえ板を前記タッチローラ外周面に帯状シートを押付けて仮保持することを特徴とする。
【００１３】
また、請求項７に記載の発明において、前記シート押さえ板は、前記保持バーの長手方向に並んだ複数の薄板部材から構成されたことを特徴とする。
【００１４】
また、請求項８に記載の発明において、前記シート押さえ板は、複数のスリットを有することを特徴とする。
【００１５】
また、請求項９に記載の発明において、前記シート仮保持機構は、シート押さえ板を保持する旋回腕と、前記旋回腕を回動させて前記シート押さえ板の前縁部が前記タッチローラと巻取ロールとの接触点より僅かに上流を押圧可能に駆動する回転駆動機構とを備えたことを特徴とする。
【００１６】
【発明の実施の形態】
以下、一実施の形態を示す図面に基づいて本発明を詳細に説明する。図１は、本発明に係るシート巻取装置の正面図、図２は図１に示すＡ−Ａ線断面図、図３は本発明のシート巻取装置の概略平面図である。
【００１７】
ここで、シート巻取装置は広幅の帯状シートS０ を複数条の狭幅の帯状シートSに分割するスリッター１と、このスリッター１により分割された狭幅の帯状シートSを回転駆動される巻芯Cで巻き取る巻芯支持機構２と、前記巻芯Cの周りに巻取られた帯状シートにより形成された巻取ロールRの外周に接触しながら回転するタッチローラ３とを備えており、前記巻芯支持機構２を複数を配設するとともに、前記タッチローラ３と当接離隔自在に配設されたシート押さえ板２３を備え、前記タッチローラ３と前記巻取ロールRとの接点より僅かに上流寄りのタッチローラ外周面に帯状シートSを押付けて仮保持することができる前記各巻芯支持機構２に夫々対応するべく配設された複数のシート仮保持機構２１と、前記シート押さえ板２３の前縁部でタッチローラ３上に保持した帯状シートを、前記タッチローラ外周面の巻取ロールRとの接点より僅かに下流側で幅方向に切断するとともに、前記各巻芯支持機構２に夫々対応するように配設された複数の切断機構２２とを備えている。
【００１８】
また、シート巻取装置は、複数の切断刃１ａを有するスリッター１により分割された狭幅の帯状シートＳを交互に振り分けることができるように帯状シートの幅方向に前後（図２では左右）に並ぶ巻芯支持機構２と、振り分けた狭幅の帯状シートＳを、巻芯支持機構２に装着した巻芯Ｃへ導くと共に、巻芯Ｃのまわりに巻き取られた狭幅の帯状シートＳの巻取ロールＲに接触するタッチローラ３とを備えている。
【００１９】
広幅の帯状シートＳ０の幅方向における両側にはフレーム４、４が配設してあり、この一対のフレーム４、４の間に、図示しない原反ロールから巻戻された広幅の帯状シートＳ０をスリッター１へ移送するガイドローラ５、６、７並びに溝付きガイドローラ８、及びスリッター１により分割され振分けられた狭幅の帯状シートＳを前後のタッチローラ３へ導くガイドローラ９、１０が設けてある。スリッター１では、帯状シート分割幅を変更可能にするために、切断刃１ａを個々に保持する複数のホルダー１ｂを、フレーム４、４の間に渡し設けた案内支持梁１１に、夫々帯状シート幅方向に平行にスライド可能に装着し、所要位置で案内支持梁１１に固定できるよう構成されている。
【００２０】
前後の巻芯支持機構２は、互いに向き合うように配置されており、夫々各巻芯Ｃ毎に一対になる巻取アーム１２と、巻芯Ｃを一対の巻取アーム１２の間に回転可能かつ着脱可能に保持するための各々一対になる巻芯チヤック１３と、巻取アーム１２を支持する巻取基台１４とを備え、振分けられた帯状シートＳ毎の巻芯Ｃを各一対の巻芯チャック１３に装着することにより帯状シート幅方向に平行な中心軸線上に一列に並べて支持することができるようになっている。また、帯状シート分割幅の変更に伴う多様な幅の帯状シートＳを巻取るための巻芯を支持可能にするために、巻取アーム１２を巻取基台１４に帯状シート幅方向にスライド可能に装着し、所要位置で巻取基台１４に固定できるよう構成されている。
【００２１】
巻芯チヤック１３は、各一対の巻取アーム１２の先端部に対向するように設けてあり、その先端部を巻芯Ｃの両端の中空部に嵌めた状態で巻芯Ｃを保持する。巻芯チャック１３に装着した巻芯Ｃを、図２の矢印Ｘで示す方向に回転駆動することができるようにするために、対をなす巻取アーム１２の少なくとも片方に、巻取モータ１５及びこの巻取モータ１５の回転を巻芯チヤック１３に伝達する、図示しない伝動装置を備え、この伝動装置から回転を伝達される巻芯チャック１３は先端部に巻芯Ｃを固定して保持することができるよう構成されている。
【００２２】
タッチローラ３は、狭幅の帯状シートＳ毎に備えられており、振り分けた狭幅の帯状シートＳに対応するように、前後の巻芯支持機構２に沿って、巻芯支持機構２毎に帯状シート幅方向に一列状に配置し、各々タッチローラ支持装置１６により支持してある。タッチローラ３を備えるシート巻取装置では、巻取ロールＲの半径増大に応じてタッチローラ３と巻芯Ｃとの間隔を増大させる必要があり、この実施例の場合、タッチローラ３を概略一定の位置に保持するので、巻芯Ｃを巻取ロールの半径増大に応じて後退させる必要がある。そこで、前後の巻芯支持機構２の各巻取基台１４を、夫々帯状シート幅方向かつ水平方向に設けたレール１７にスライド可能に装着し、巻取基台１４にナット１８を固設し、このナット１８に螺合するネジ棒１９を、巻取ロールＲの半径の増大に応じてモータ２０により回転駆動するよう構成されている。
【００２３】
また新しい巻芯Ｃをタッチローラ３へ向けて前進させることができるようにするために、モータ２０は正転逆転可能なものを用いている。前側の巻芯支持機構２に装着した巻芯Ｃは、モータ２０によりネジ棒１９を回転駆動することで、図２の左半分に２点鎖線で示すように、タッチローラ３と接触する巻取開始位置と、タッチローラ３と巻取ロールＲとの間が開く巻取ロール切り離し位置とに移動することができる。また後側の巻芯支持機構２に装着した巻芯Ｃも後側のタッチローラ３に対して前側と同様に移動することができる。
【００２４】
このシート巻取装置では、巻芯Ｃへの帯状シートＳの巻取量が所定量に達して巻取ロールＲが巻き上がったとき、巻取ロールＲに繋がっている帯状シートＳをタッチローラ３の外周面に押付けて仮保持するためのシート仮保持機構２１を、前後の巻芯支持機構２に夫々対応ように配設し、前後のシート仮保持機構２１により仮保持した帯状シートＳを、タッチローラ３と巻取ロールＲの接点より僅かに下流側で幅方向に切断するための切断装置２２を、前後の巻芯支持機構２に夫々対応するように配設している。
【００２５】
図４は、本発明のシート巻取装置のシート仮保持機構及び切断機構の一部を示す概略正面図、図５は、シート仮保持機構が帯状シートを仮保持した状態を示す側面図、図６は、シート仮保持機構が帯状シートを仮保持した状態で切断した状態を示す説明図である。
【００２６】
ここで、前側のシート仮保持機構２１は、夫々帯状シートＳをタッチローラ３の外周面に押さえ付けるためのシート押さえ板２３と、このシート押さえ板２３を保持してシート保持位置と退避位置とに移動させることができる前側のシート押さえ板保持移動機構２４とから構成されている。前側のシート押さえ板保持移動機構２４は、シート押さえ板２３をその前縁がタッチローラ３と巻取ロールＲとの谷間へ向けて突き出た状態で保持する、広幅の帯状シートＳ０の全幅にわたって伸びた保持バー２５と、保持バー２５の両端付近を支持する左右の可動支持体２６と、左右の可動支持体２６を進退させる進退駆動機構２７とを備えている。
【００２７】
保持バー２５はシート押さえ板２３をボルト２５ａにより固着して保持しており、左右の可動支持体２６は、一対のレール２８にスライド可能に装着してあり、進退駆動機構２７は、可動支持体２６に固設したナット２９に螺合するネジ棒３０と、ネジ棒３０を正転逆転両方向に選択的に回転駆動するためのモータ３１とからなる。一対のレール２８は、シート押さえ板２３が突き出た方向の近似方向に伸びており、モータ３１によりネジ棒３０を回転駆動して可動支持体２６を前進させ、保持バー２５上のシート押さえ板２３をシート保持位置に進出させたとき、シート押さえ板２３の前縁部が、図６に示すようにタッチローラ３と巻取口ールＲとの接点Ｐ１より僅かに上流寄りのタッチローラ３の外周面を押圧した状態となるように可動支持体２６を案内することができる。
【００２８】
前側の切断装置２２は、保持バー２５の一端付近の待機位置と他の一端付近の前進位置との間を保持バー２５に沿って往復移動することができる走行ホルダー３２と、この走行ホルダー３２に装着した刃物３３とを備える。刃物３３は、走行ホルダー３２が待機位置にある状態で、図５に示すように保持バー２５と共にシート押さえ板２３がシート保持位置に進出したとき、巻取口ールＲに繋がる帯状シートＳの、タッチローラ３と巻取ロールＲとの接点Ｐ１より僅かに下流側であって帯状シートＳの幅方向の外側に位置し、その刃先が帯状シートＳに向くように走行ホルダー３２に装着してある。
【００２９】
走行ホルダー３２は、保持バー２５に固設したレール３４に装着した可動体３５によって保持し、可動体３５の前部と後部は、保持バー２５の両端付近に配置したプーリ３６、プーリ３７にループ状に掛けたベルト３８の一端と他の一端に連結してあり、一方のプーリ３６は、保持バー２５に設けた、正転逆転可能な切断用モータ３９により回転駆動することができるよう構成されている。前後のタッチローラ支持装置１６は、タッチローラ３を巻芯Ｃへ押付け可能にそのタッチローラ３の両端部を支持する一対の可動支持腕４０と、この可動支持腕４０を支持する基台４１と、基台４１に設けた、可動支持腕４０を付勢してタッチローラ３に押付けカを付与するための押付け力付与機構である流体圧シリンダ装置４２とからなる。
【００３０】
基台４１は、可動支持腕４０をピン４１ａにより揺動可能に支持している。また、帯状シート幅方向に伸びた案内支持梁４３沿いに位置替え可能に設けてあり、帯状シート分割幅の変更に伴いタッチローラの交換や位置の変更が必要になったとき、タッチローラ３の端部を可動支持腕４０により支持できるように、案内支持梁４３沿いに移動されて所要位置に固定される。
【００３１】
図７は、本発明のシート巻取装置の一部を省略して示した概略正面図、図８は、後側のシート仮保持機構が帯状シートを仮保持した状態を示す側面図である。
【００３２】
図７は、後側のシート仮保持機構及び切断装置の概略正面図、図８はシート仮保持機構が帯状シートを仮保持した状態を示す側面図である。ここで、後側のシート仮保持機構２１は、夫々帯状シートＳをタッチローラ３の外周面に押さえ付けるためのシート押さえ板２３と、シート押さえ板２３を保持してシート保持位置と退避位置とに移動させることができるシート押さえ板保持移動機構２４とからなり、後側のシート押さえ板保持移動機構２４では、シート押さえ板２３をタッチローラ支持装置１６沿いの小さい空間に保持するために、細長い棒部材からなる保持バー２５を備え、保持バー２５の中間部分を支持してその携みを小さくするために、保持バー２５に対して長手方向に移動可能に係合する保持部４４をピストンロッド４５ａの先端部に持つ、基台４１に設けた流体圧シリンダ装置４５を備えている。
【００３３】
流体圧シリンダ装置４５は各々のタッチローラ支持装置１６の一対の基台４１の片方に夫々設けてあり、ピストンロッド４５ａをシート押さえ板２３の進退方向に向けてシリンダ本体４５ｂをブラケット４５ｃを介して基台４１に固着しているので、シート押さえ板２３がシート保持位置と退避位置とに移動するように保持バー２５を支持できる。
【００３４】
保持部４４は支持体４４ａに設けた上下一対のローラ４４ｂからなり、上下の一対のローラ４４ｂの外周面の一部を、保持バー２５の外周面の上下２箇所に長手方向に形成した溝に挿入してあるので、流体圧シリンダ装置４５は基台４１と共に移動しても保持バー２５を脱落させることなく支持できる。
【００３５】
なお、本発明では必要に応じて流体圧シリンダ装置４５を一つのタッチローラ支持装置１６の基台４１に設けてもよい。また流体圧シリンダ装置４５に替え、モータにより駆動される公知のねじジヤッキを直動型のアクチュエータとして用いてもよい。
【００３６】
後側のシート押さえ板保持移動機構２４は、更に保持バー２５の両端付近を支持する左右の可動支持体４６と、左右の可動支持体４６を進退させる流体圧シリンダ装置４７とを備えている。左右の可動支持体４６はフレーム４、４に設けた一対のレール４８にスライド可能に装着してある。後側の切断装置２２は、待機位置と切断位置とへ移動することができる切断用バー４９と、切断用バー４９の一端付近の待機位置と他の一端付近の前進位置との間を切断用バー４９に沿って往復移動することができる走行ホルダー３２と、この走行ホルダー３２に装着した刃物３３とを備えている。
【００３７】
切断用バー４９は、前側のシート保持バー２５と同様に、両端付近を可動支持体５０で支持し、進退駆動機構５１により、フレーム４に固設したレール５２に沿ってにより、図２に示す位置から図８に示す位置に進出、後退させることができるよう構成されている。
【００３８】
次に、以上のように構成されたシート巻取装置の動作について説明する。
図２において、広幅の帯状シートＳ０をスリッター１へ移送しながら、スリッター１により複数の狭幅の帯状シートＳに分割して前後の巻芯支持機構２に各々装着した巻芯Ｃへ振分け、巻取モータ１５により回転駆動される巻芯Ｃのまわりにタッチローラ３を経て巻取る。なおスリッター１により分割された広幅帯状シートＳ０の両耳Ｓａは図示しない別の巻取装置へ送って巻取る。
【００３９】
巻取ロールＲが巻き上がると巻取り操作を停止し、前後の巻芯支持機構２を、モータ２０を作動させて更に後退させることにより、図５、図８に示すようにタッチローラ３と巻取ロールＲとの間を開け、シート仮保持機構２１により、巻取ロールＲに繋がっている帯状シートＳをタッチローラ３上に仮保持し、その状態で切断装置２２により、タッチローラ３の下流で切断する。
【００４０】
巻取中、前後のシート仮保持機構２１のシート押さえ板２３は図１に示すように退避位置につき、前側の切断装置２２の刃物３３は図４に示すように保持バー２５上において後退位置につき、後側の切断装置２２の刃物３３は図７に示すように切断用バー４９上において後退位置についている。
【００４１】
前側のシート仮保持機構２１により帯状シートＳを仮保持するには、モータ３１を作動させて保持バー２５を下降させ、図６に示すようにシート押さえ板２３をシート保持位置に進出させる。そうすると、シート押さえ板２３は、その前縁部で帯状シートＳをタッチローラ３と巻取ロールＲとの接点Ｐ１より僅かに上流寄りのタッチローラ３の外周面に押付けて保持する。このとき、この実施例の場合シート押さえ板２３は、鋼板又はプラスチック板等の薄い板を用いているため、少し撓んで帯状シートＳを弾力的に押圧することができ、多少の取付け誤差や加工誤差等があっても確実に帯状シートを保持することができる。
【００４２】
前側の切断装置２２により帯状シートＳを切断するには、シート押さえ板２３で帯状シートＳを保持した状態で、切断用モータ３９を作動させて走行ホルダー３２と共に刃物３３を前進位置まで移動し、その後、切断用モータ３９を逆方向に作動させて刃物３３待機位置に復帰させる。
【００４３】
後側のシート仮保持機構２１により帯状シートＳを仮保持するには、流体圧シリンダ装置４５及び流体圧シリンダ装置４７を作動させて、図８に示すように保持バー２５と共にシート押さえ板２３をシート保持位置に進出させる。
【００４４】
後側の切断装置２２により帯状シートＳを切断するには、進退駆動機構５１により切断用バー４９を図８に示す前進位置まで下降させ、モータ３９を作動させて走行ホルダー３２と共に刃物３３を待機位置と前進位置との間を往復動させる。後側の帯状シートＳの切断後は、切断用バー４９を図１に示す待機位置まで上昇させる。
【００４５】
帯状シートＳの切断が終わると前後の巻芯支持機構２から巻取ロールＲを取外して代わりに新しい巻芯Ｃを装着し、新しい巻芯Ｃを巻取開始位置につける。その前に、図６に鎖線で示すように新しい巻芯Ｃのタッチローラ３と対向する部分に両面粘着テープ等の接着材Ｔを付与しておくと、巻芯Ｃが巻取開始位置についたとき、タッチローラ３上に保持されている帯状シートＳの先端部が接着材Ｔによって巻芯Ｃに接着される。その後、前後のシート押さえ板２３を退避位置に後退させ、巻取りを再開する。
【００４６】
巻芯支持機構２沿いに一列状に並ぶ複数のタッチローラ３が本来の共通の中心軸線上から多少外れて支持される場合やシート押さえ板２３の取り付け誤差が大きい場合には、確実に帯状シート先端部を保持できるようにするためにシート押さえ板２３を、保持バー２５の長手方向に並べて保持した多数の板部材で構成するとよい。また、多数の薄板部材で構成する代わりに、前縁から後縁に向けて形成した、帯状シート幅方向に並ぶ多数のスリットを有する板部材により構成してもよい。板部材としては例えば比例限度の大きい鋼板を用いる。
【００４７】
以上のように構成した場合、巻上がった巻取ロールに繋がっている帯状シートを、巻芯上に巻付けるのに都合のよい長さとなるように帯状シート幅方向に切断すると共に、切断された上流側の帯状シートを、その先端部分がタッチローラ外周面の、巻取ロールとの接点に被さるように保持することができる。したがって、従来のシート巻取装置においてタッチローラ側に残った帯状シートの先端部を新しい巻芯上に止めるときに手間がかかっていた、帯状シートの余分な先端部分の切除作業が不要になり、巻取再開準備時間が短縮され、シート巻取装置の稼動率が向上する。
【００４８】
また、新しい巻芯を巻芯支持機構に装着してタッチローラと接触させると、上流側の帯状シートの先端部を巻芯に接着できる状態になる。更に、帯状シートの切断、帯状シートの切断端の巻芯への接着作業が作業者の個人差に関系なく適正かつ確実に行うことができるようになり、帯状シート切断端の新しい巻芯への接着作業の不良に起因する歩留低下も防ぐことができる。
【００４９】
新しい巻芯の外周面の、少なくともタッチローラとの接点に、予め接着材をつけておき、この新しい巻芯を巻芯支持機構に装着すれば、新しい巻芯を巻取開始位置につけたとき、タッチローラ上に準備された帯状シートの先端部が前記接点上で巻芯に押圧されて自動的に接着する。また、稼動率を一層向上させることができると共に、巻取再開準備作業を完全自動化する道が開ける。
【００５０】
図９は、本発明の第２の態様に係るシート仮保持機構を示す側面図である。ここで、第１の実施例と同一部分については、同一符号を付して説明を省略する。本実施の形態において、タッチローラ３を支持する可動支持腕４０と干渉しないようにするために、可動支持腕４０の下方に保持バー２５を配設している。そして保持バー２５の移動距離を小さくするために、シート押さえ板２３と保持バー２５の間には、シート押さえ板２３より剛性が大きい板状の腕部材５３を備える。腕部材５３の先端部にシート押さえ板２３の後縁部を固着し、腕部材５３の後端部を保持バー２５に固着し、保持バー２５の両端部を、フレーム４に設けたレール４８沿いに移動可能な可動支持体４６により支持し、可動支持体４６を流体圧シリンダ装置４７により進退駆動することができるよう構成されている。
【００５１】
以上のように構成した場合、タッチローラ３を支持する可動支持腕４０とシート押さえ板２３を支える保持バー２５とが独立して配設されているために、相互に干渉する虞がない。
【００５２】
図１０は、本発明の第３の態様に係るシート仮保持機構を示す概略側面図、図１１は、本発明の第３の態様に係るシート仮保持機構の一部を省略して示した平面図である。
【００５３】
このシート巻取装置では、図示しない広幅の帯状シート移送用のガイドローラを支持する一対のフレーム４によりタッチローラ３を固定位置に支持している。シート仮保持機構２１は、シート押さえ板２３を保持する、タッチローラ３に平行な軸線を中心に揺動可能な旋回腕５５を備えている。旋回腕５５は回動軸５６に固設し、回動軸５６は両端部をフレーム４によって回転可能に支持し、回動軸５６の両端部付近に設けたレバー５７を流体圧シリンダ装置４７により押し引きして、旋回腕５５の自由端に固着したシート押さえ板２３を図１０に鎖線で示す退避位置と実線で示すシート保持位置に移動することができるよう構成されている。
【００５４】
また、巻取中に巻芯Ｃをタッチローラ３へ所要の押圧カで押付け可能にするために、巻芯支持機構２は、巻取アーム１２を巻芯チャック１３を設けた揺動腕部１２ａと、揺動腕部１２ａをピン１２ｂで支持する基部１２ｃとにより構成し、タッチローラ３と揺動腕部１２ａとの間に設けた流体圧シリンダ装置１２ｄにより揺動腕部１２ａに回動力を付与することができるよう構成されている。巻取アーム１２の基部１２ｃは巻取基台１４に装着してあり、巻取ロールＲの半径増大に従い巻芯Ｃとタッチローラ３の間を開けることができるようにするために、巻取基台１４をフレーム４上にスライド可能に設けて、図示しない駆動機構により駆動できるよう構成されている。
【００５５】
本発明では必要に応じてに実施態様は多様に変化し得る。例えばシート巻取装置は、巻芯支持機構を上下に並べて設けたもの、複数の巻芯を共通の巻軸で貫通して保持すると共に、その巻軸を両端部を支持することができる巻芯支持機構を備えるもの、巻芯支持機構を一つのみ備えるもの、或いはスリッターを備えないものでもよく、また、巻取ロールの半径増大に応じてタッチローラと巻芯の間隔を開けることができるようにするために、巻芯支持機構を帯状シート幅方向に平行な軸線を中心に回動可能に設けたもの、巻芯支持機構の巻取アームを、巻取基台に対してタッチローラに平行な軸線を中心に旋回可能、又はスライド可能に設けたもの、巻芯を固定位置に支持してタッチローラを巻芯から後退させるようにしたもの等であってもよい。
【００５６】
また切断装置は、刃物を帯状シート幅方向に走行させて切断するものに限らず、刃物を帯状シート表面に向けて進出させて切断するもの、帯状シートがプラスチックフィルムの場合には、それを溶断するために、刃物に替えて、帯状シート幅方向に張設した電熱線を用いたものであってもよい。
【００５７】
以上のように構成した場合、スペースの有効利用を図ることができる。また、巻上がった巻取ロールに繋がっている帯状シートを、巻芯上に巻付けるのに都合のよい長さとなるように帯状シート幅方向に切断すると共に、切断された上流側の帯状シートを、その先端部分がタッチローラ外周面の、巻取ロールとの接点に被さるように保持することができる。
【００５８】
【発明の効果】
この発明は上記した構成からなるので、以下に説明するような効果を奏することができる。
【００５９】
請求項１に記載の発明では、帯状シートを回転駆動される巻芯で巻き取る巻芯支持機構と、前記巻芯の周りに巻取られた帯状シートにより形成された巻取ロールの外周に接触しながら回転するタッチローラとを備えたシート巻取装置であって、前記タッチローラと当接離隔自在に配設されたシート押さえ板を備えるとともに、該シート押さえ板によって前記タッチローラと前記巻取ロールとの接点より僅かに上流寄りのタッチローラ外周面に帯状シートを押付けて仮保持することができるシート仮保持機構と、前記シート押さえ板の前縁部でタッチローラ上に保持した帯状シートを、前記タッチローラ外周面の巻取ロールとの接点より僅かに下流側で幅方向に切断する切断機構とを備えたので、巻上がった巻取ロールに繋がっている帯状シートを、巻芯上に巻付けるのに都合のよい長さとなるように帯状シート幅方向に切断すると共に、切断された上流側の帯状シートを、その先端部分がタッチローラ外周面の、巻取ロールとの接点に被さるように保持することができる。
【００６０】
それゆえ、新しい巻芯を巻芯支持機構に装着してタッチローラと接触させると、上流側の帯状シートの先端部を巻芯に接着できる状態になり、帯状シートの先端部を巻芯に接着する作業が容易となり、接着作業の不良に起因する歩留低下も防ぐことができる。
【００６１】
また、請求項２に記載の発明では、前記広幅の帯状シートを複数条の狭幅の帯状シートに分割するスリッターと、該スリッターにより分割された狭幅の帯状シートを回転駆動される巻芯で巻き取る巻芯支持機構と、前記巻芯の周りに巻取られた帯状シートにより形成された巻取ロールの外周に接触しながら回転するタッチローラとを備えたシート巻取装置であって、前記巻芯支持機構を複数を配設するとともに、前記タッチローラと当接離隔自在に配設されたシート押さえ板を備えるとともに、前記タッチローラと前記巻取ロールとの接点より僅かに上流寄りのタッチローラ外周面に帯状シートを押付けて仮保持することができる前記各巻芯支持機構に夫々対応するべく配設された複数のシート仮保持機構と、前記シート押さえ板の前縁部でタッチローラ上に保持した帯状シートを、前記タッチローラ外周面の巻取ロールとの接点より僅かに下流側で幅方向に切断するとともに、前記各巻芯支持機構に夫々対応するように配設された複数の切断機構とを備えたので、細幅の帯状シートを振り分けることにより、巻芯支持の充分な機械的強度を得ることができる。
【００６２】
また、請求項３に記載の発明では、請求項２に記載の発明に加えて、前記タッチローラは、前記巻取ロール周面へ所定の押圧力で押し付け可能に支持するタッチローラ支持機構により保持されると共に、前記タッチローラ支持機構は、前記タッチローラを巻芯へ押付け可能に前記タッチローラの両端部を支持する一対の可動支持腕と、この可動支持腕を支持する帯状シート幅方向に伸びた案内支持梁沿いに位置替え可能に設けた基台と、前記基台と可動支持腕の間に設けた、前記タッチローラに所要の押付け力を付与する押付け力付与機構を有するので、帯状シートを巻芯に巻取る際に積層される帯状シート間に巻き込まれる空気量を制限し、巻取ロールRの端面を綺麗に巻き上げることができる。
【００６３】
また、請求項４に記載の発明では、請求項１から３に記載の発明に加えて、前記シート仮保持機構は、前記シート押さえ板を保持すると共に、前記広幅の帯状シートの全幅に亘って延設された保持バーと、前記保持バーの両端近傍を支持する可動支持体と、前記シート押さえ板の前縁部が前記タッチローラと巻取ロールの接触点より僅かに上流のタッチローラ外周面を押圧するべく前記可動支持体を移動させる進退駆動機構とを備えたので、タッチローラを分割された狭幅の帯状シート毎に備え、タツチローラの長さや支持位置を多様に変える必要があるシート巻取装置であっても、片側の巻芯支持機構に対応して並ぶ複数のタッチローラに対して、一つの保持バーを駆動するだけで、シート押さえ板をシート保持位置に進出させることができ、帯状シートを一斉に保持することができる。
【００６４】
また、請求項５に記載の発明では、請求項４に記載の発明に加えて、前記切断機構は、前記保持バーに取り付けられたので、切断機構を切断位置と退避位置に移動させるための機構が不要となり、切断機構の簡素化と設置スペースの節約を図ることができる。
【００６５】
また、請求項６に記載の発明では、請求項３に記載の発明に加えて、前記シート仮保持機構は、シート押さえ板を駆動する直動型アクチュエータを前記タッチローラの両端を支持する可動支持腕を支える基台に備え、前記直動型アクチュエータによって前記シート押さえ板を前記タッチローラ外周面に帯状シートを押付けて仮保持するので、シート押さえ板および保持バーの占有空間小さくできると共に、小さなスペースにこれらを配置することができる。
【００６６】
また、請求項７に記載の発明では、請求項１に記載の発明に加えて、前記シート押さえ板は、前記保持バーの長手方向に並んだ複数の薄板部材から構成されたので、隣り合う薄板部材の撓みによる影響を互いに及ぼし合うことなく、例え各タッチローラが帯状シートの幅方向に一直線に並んでいなくとも、シート押さえ板は、各薄板部材の個別の撓みにより、一列状に並んだ複数のタッチローラの個々のタッチローラ相互間に生じている凹凸を吸収し、帯状シートを確実にタッチローラ上に保持することができる。
【００６７】
また、請求項８に記載の発明では、請求項２から５に記載の発明に加えて、前記シート押さえ板は、複数のスリットを有するので、複数の薄板部材から構成したものと同様に隣り合う薄板部材の撓みによる影響を互いに及ぼし合うことがない。
【００６８】
また、請求項９に記載の発明では、請求項１または２に記載の発明に加えて、前記シート仮保持機構は、シート押さえ板を保持する旋回腕と、前記旋回腕を回動させて前記シート押さえ板の前縁部が前記タッチローラと巻取ロールとの接触点より僅かに上流を押圧可能に駆動する回転駆動機構とを備えたので、設置スペースの削減を図ることができる。
【図面の簡単な説明】
【図１】本発明に係るシート巻取装置の正面図である。
【図２】図２は、図１に示すＡ−Ａ線断面図である。
【図３】図３は、同シート巻取装置の概略平面図である。
【図４】図４は、同シート巻取装置のシート仮保持機構及び切断機構の一部を示す概略正面図である。
【図５】図５は、シート仮保持機構が帯状シートを仮保持した状態を示す側面図である。
【図６】図６は、シート仮保持機構が帯状シートを仮保持した状態で切断した状態を示す説明図である。
【図７】図７は、同シート巻取装置の一部を省略して示した概略正面図である。
【図８】図８は、後側のシート仮保持機構が帯状シートを仮保持した状態を示す側面図である。
【図９】図９は、本発明の第２の態様に係るシート仮保持機構を示す側面図である。
【図１０】図１０は、本発明の第３の態様に係るシート仮保持機構を示す概略側面図である。
【図１１】図１１は、同第３の態様に係るシート仮保持機構の一部を省略して示した平面図である。
【符号の説明】
Ｓ０    広幅の帯状シート
Ｓ      狭幅の帯状シート
Ｓａ    耳
Ｃ      巻芯
Ｒ      巻取ロール
Ｔ      接着材
１      スリッター
２      巻芯支持機構
３      タッチローラ
４      フレーム
５      ガイドローラ
６      ガイドローラ
７      ガイドローラ
８      溝付きガイドローラ
９      ガイドローラ
１０    ガイドローラ
１１    案内支持梁
１２    巻取アーム
１３    巻芯チヤツク
１４    巻取基台
１５    巻取モータ
１６    タッチローラ支持機構
１７    レール
１８    ナット
１９    ネジ棒
２０    モータ
２１    シート仮保持機構
２２    切断機構
２３    シート押さえ板
２４    シート押さえ板保持移動機構
２５    保持梁
２６    可動支持体
２７    進退駆動機構
２８    レール
２９    ナット
３０    ネジ棒
３１    モータ
３２    走行ホルダー
３３    刃物
３４    レール
３５    可動体
３６    プーリ
３７    プーリ
３８    ベルト
３９    切断用モータ
４０    可動支持腕
４１    基台
４２    流体圧シリンダ機構（押付け力付与機構）
４３    案内支持梁
４８    レール
４９    切断用バー
５０    可動支持体
５１    回転駆動機構
５２    レール
５３    腕部材
５４    レーノレ
５５    旋回腕
５６    回動軸
５７    レバ一
【図１】
0003767488.tif 000002
【図２】
0003767488.tif 000003
【図３】
0003767488.tif 000004
【図４】
0003767488.tif 000005
【図５】
0003767488.tif 000006
【図６】
0003767488.tif 000007
【図７】
0003767488.tif 000008
【図８】
0003767488.tif 000009
【図９】
0003767488.tif 000010
【図１０】
0003767488.tif 000011
【図１１】
0003767488.tif 000012